(57)【要約】      （修正有）【課題】下部の保護作用があり、マット間の相対変位を防止でき、マット全体が平面であり、乳幼児にとって良い保護作用がある滑り止めおもちゃパッドを提供する。【解決手段】滑り止めおもちゃパッドは、４つ以上のマットを含み、マット外側の４つの頂角は円弧状であり、組み合わせてできる。溝の中に接続ブロック２を設置し、それぞれのマットのトップに８つのジャック３を対称的に配置し、２つのジャック間に止め板４を設け、止め板の底部には、ジャックのインセットがあって、止め板の側縁にはガイドが設置され、止め板の別側縁には、ガイドに合わせるガイド溝が設置してある。マットの上には、装飾的なマットがあり、マットの下には表面滑り止めマットが設けられ、滑り止めマットの底部に滑り止めのパターンがあり、滑り止めマットとマットとの間に凝着固定する。【選択図】図１
0003206176.tif 000002
【実用新案登録請求の範囲】
【請求項１】
おもちゃパッドにおいて、
4つ以上のマットを含み、これらのマットの外側の4つの頂角位置に円弧移行して、この4つのマットは組み合わせてから溝になり、溝の中に接続ブロックを設置されていて、それぞれのマットのトップに8のジャックを対称的に配置し、同側の2つのジャックの間に止め板があって、止め板の底部には、ジャックのインセットがあって、止め板の側縁にガイドが設置してあって、止め板の別側には、ガイドに合わせるガイドの溝が設置してあり、マットの上に、装飾的なマットがあって、マットの下の表面滑り止めマットが設けられており、滑り止めマットの底部に滑り止めのパターンがあり、滑り止めマットとマットとの間に凝着固定する
ことを特徴とするおもちゃパッド。
【考案の詳細な説明】
【技術分野】
【０００１】
この実用新案は、滑り止めおもちゃパッドに関するものだ。
【背景技術】
【０００２】
乳幼児の成長発育の間に、おもちゃパッドが必要だ。おもちゃパッドは乳幼児にソフト保護を与えることができて、乳幼児がクロールと歩きの練習には便利だ。既存技術のおもちゃパッドはシンプルな係合の固定方式で、外部が別々のフレームワークによって保護して、フレームワークの外力を受ける能力が弱くて、並びが不安定で、そして、係合の固定方式はマットが変形した後に、再び係合することは難しい。係合してもリッジがあるから、赤ちゃんに躓いやすい。
【考案の概要】
【考案が解決しようとする課題】
【０００３】
この実用新案は技術的問題を解決するのは滑り止めおもちゃパッドを提供することで、本申請がタツル張りのマットを通じて下部の保護の作用があって、マットに形成された凹部を介して埋め込まれた接続ブロックを設定して、マットの間の相対変位を防止することができて、同時に、マット全体の表面が上の表面が平面となっていることが保証できて、ボイドの発生を避けて、バッフルを通じてマットの外側を保護することができて、乳幼児を横断避ける。設置の滑り止めマットでマットを防ぐことができて、乳幼児にとって良い保護作用がある。
【課題を解決するための手段】
【０００４】
上記課題を解決するために、実用新案は、以下の技術的スキームを採用する。
【０００５】
一種の滑り止めおもちゃパッドの特徴は以下の点がある。4つ以上のマットを含み、これらのマットの外側の4つの頂角位置に円弧移行して、この4つのマットは組み合わせてから溝になる。溝の中に接続ブロックを設置されていて、それぞれのマットのトップに8のジャックを対称的に配置し、同&#20391;の2つのジャックの間に止め板があって、止め板の底部には、ジャックのインセットがあって、止め板の側縁にガイドが設置してあって、止め板の別&#20391;には、ガイドに合わせるガイドの溝が設置してある。マットの上に、装飾的なマットがあって、マットの下の表面滑り止めマットが設けられている。滑り止めマットの底部に滑り止めのパターンがある。滑り止めマットとマットとの間に凝着固定する。
【０００６】
優先的に、マットの厚さが10&#12316;25ミリメートルで、止め板の厚さがマットの厚さと同じだ。
【０００７】
優先的に、装飾的なマットの厚さが１&#12316;２ミリメートルだ。
【考案の効果】
【０００８】
この実用新案の有益な効果がある。本申請がタツル張りのマットを通じて下部の保護の作用があって、マットに形成された凹部を介して埋め込まれた接続ブロックを設定して、マットの間の相対変位を防止することができて、同時に、マット全体の表面が上の表面が平面となっていることが保証できて、ボイドの発生を避けて、バッフルを通じてマットの外側を保護することができて、乳幼児を横断避ける。設置の滑り止めマットでマットを防ぐことができて、乳幼児にとって良い保護作用がある。この申請の構造は比較的簡単で、コストが安くて、普及に使用することに適する。
【図面の簡単な説明】
【０００９】
【図１】この実用新案の俯瞰図だ。
【図２】マットと滑り止めマットの配合図だ。
【考案を実施するための形態】
【００１０】
この実用新案の長所と特徴は、領域技術者に理解することができるために、この実用新案の優先実施例について付図を結合して詳しく述べて、この実用新案の保護範囲はもっと明確な定義を明確にする
【００１１】
図1と図2に示す一種の滑り止めおもちゃパッドは4つ以上のマット１を含み、これらのマット１の外側の4つの頂角位置に円弧移行して、この4つのマット１は組み合わせてから溝「未図示」になる。溝の中に接続ブロック２を設置されていて、それぞれのマット１のトップに8のジャック３を対称的に配置し、同&#20391;の2つのジャック３「未図示」の間に止め板４があって、止め板４の側縁にガイド４１１が設置してあって、止め板４の別&#20391;には、ガイド４１１に合わせるガイドの溝４１２が設置してある。マット１の上に、装飾的なマット１２１があって、マット１の下の表面滑り止めマット１３１が設けられている。滑り止めマット１３１の底部に滑り止めのパターンがある。滑り止めマット１３１とマット１との間に凝着固定する。
【００１２】
本実用新型には1つの良い実施例があって、マット１の厚さが10ミリメートルで、止め板の厚さがマットの厚さと同じだ。
【００１３】
本実用新型には1つの良い実施例があって、装飾的なマット１２１の厚さが１ミリメートルだ。
【００１４】
この実用新案の有益な効果がある。本申請がタツル張りのマットを通じて下部の保護の作用があって、マットに形成された凹部を介して埋め込まれた接続ブロックを設定して、マットの間の相対変位を防止することができて、同時に、マット全体の表面が上の表面が平面となっていることが保証できて、ボイドの発生を避けて、バッフルを通じてマットの外側を保護することができて、乳幼児を横断避ける。設置の滑り止めマットでマットを防ぐことができて、乳幼児にとって良い保護作用がある。この申請の構造は比較的簡単で、コストが安くて、普及に使用することに適する。
【００１５】
以上はこの実用新案の基本原理、主な特徴や利点をの表示して説明する。当業界の技術者は理解べきで、この実用新案が上記実施例の制限を受けない。上記実施例や説明書には、この実用新案の原理だけが説明して、この実用新案の精神と範囲の前提を離れない前提で、この実用新案が各種変化と改善もある。これらの変化と改善が保護のこの実用新案の範囲に落ちる。本実用新型は、保護範囲に寄附する権利の要求書及び等しいもので定義する    
【図１】
0003206176.tif 000003
【図２】
0003206176.tif 000004